(57)【特許請求の範囲】
【請求項１】
天井下地材の側壁を切断するための切断工具であって、
当該切断工具の先端側の軸部にて相対的に回動する一対の操作部を備え、
一方の操作部には、前記先端側に前記側壁を、当該側壁の両側から囲んで収容する収容凹所を形成するフック形状部と、このフック形状部から前記切断工具の末端側に伸びる把手部とを備え、さらに、前記フック形状部は、前記軸部と前記把手部の間に位置しており、
他方の操作部には、前記先端側に前記収容凹所に収容された前記側壁を切断する切断刃と、この切断刃から前記切断工具の末端側に伸びる把手部とを備え、さらに、前記切断刃は、前記軸部と前記他方の操作部の前記把手部の間に位置しており、
前記フック形状部と前記切断刃とは、前記一方の操作部と前記他方の操作部とを互いに近接させるように回動させた際に、前記切断刃が前記フック形状部を通過する位置関係にあり、
前記一方及び他方の操作部の把手部は、前記収容凹所に前記側壁を収容した状態で、前記天井下地材の下方に位置し、
前記他方の操作部を、前記一方の操作部に向けて近接させるように回動させて、前記側壁を切断することを特徴とする切断工具。
【請求項２】
前記側壁に前記フック形状部を引っ掛け可能であることを特徴とする請求項１に記載の切断工具。
【請求項３】
両方の前記操作部は、前記軸部を軸に開方向へ付勢されていることを特徴とする請求項１又は２に記載の切断工具。
【請求項４】
前記軸部は、前記他方の操作部に設けられた切断刃よりも、前記フック形状部の反対側に設けられていることを特徴とする請求項１から３のいずれか１項に記載の切断工具。
【請求項５】
前記一方の操作部のフック形状部の先端側に、天井下地材の折り返しが入る凹部が設けられていることを特徴とする請求項１から４のいずれか１項に記載の切断工具。
【請求項６】
前記一方の操作部のフック形状部の先端側に、天井下地材と当接する当接面が設けられていることを特徴とする請求項１から５のいずれか１項に記載の切断工具。
【請求項７】
前記一方の操作部のフック形状部の先端側に、切断刃が設けられていることを特徴とする請求項１から６のいずれか１項に記載の切断工具。
【請求項８】
前記他方の操作部の把手部を回動させる際に、前記他方の操作部の先端の外縁は、前記一方の操作部の先端の外縁よりもはみ出ないことを特徴とする請求項１から７のいずれか１項に記載の切断工具。
【発明の詳細な説明】
【技術分野】
【０００１】
本願発明は、天井に照明器具を取り付けるために、天井裏に設置されている天井下地材を切断するための切断工具に関するものである。
【背景技術】
【０００２】
天井にダウンライトなどの照明器具を設置する電気工事の際、天井裏に天井下地材が設けられているため、照明器具を取り付けるのに障害となっていた。そのため、障害となる天井下地材を鋏等の切断工具で切断して取り除く必要がある。しかし、天井下地材は側壁を有した形状をしているので、天井下地材を切断するには側壁をまず切断しなければならならないが、側壁を切断するのは、天井の下側からでは困難であった。
【０００３】
そこで、天井下地材の側壁を切断できる切断工具として、図４の（a）に示す特許文献１の電気工事用鋏６０が知られている。電気工事用鋏６０は、軸部６１によって、略Ｌ字状に形成された下把手６２ａと上把手６３ａとが回動可能に支持されている。前記下把手６２ａと上把手６３ａのそれぞれの先端には、切断刃６５、６６が突設されている。
【０００４】
図４の（ｂ）は、実際に電気工事用鋏６０を使用している様子を示している。電気工事用鋏６０によれば、略Ｌ字状に形成された下把手６２ａと上把手６３ａを有するため、天井Ｕの下側からでも側壁Ｗの上方から切断刃６５、６６を側壁Ｗにあてがうことができ、側壁Ｗを切断することができる。
【０００５】
しかし、略L字状の下把手６２ａと上把手６３ａのそれぞれの先端に切断刃６５、６６が突設されているため、工事穴Ｈが十分に大きくない場合、切断刃６５、６６が側壁Ｗに対して斜めになり、切断が行いにくい。また、斜めの状態で使用を続けると、刃こぼれの原因ともなる。
【０００６】
また、天井板Ｕの下側から、工事穴Ｈを通して、略L字状の下把手６２ａと上把手６３ａの先端の切断刃６５と６６を側壁Ｗにあてがい、側壁を切断する一連の作業は、天井裏ということもあり、先端の切断刃６５、６６を視認するのが困難で煩わしい作業でもある。
【先行技術文献】
【特許文献】
【０００７】
【特許文献１】特願２００４−３２９７６６号
【発明の開示】
【発明が解決しようとする課題】
【０００８】
そこで、本願発明は上記問題に鑑み、天井下地材の側壁を切断する作業を容易とする切断工具を提供することを目的とする。
【課題を解決するための手段】
【０００９】
本願発明の切断工具は、天井下地材の側壁を切断するための切断工具であって、軸部を基端として、一方向に伸び、相対的に回動する上操作部と、下操作部とを備え、下操作部には、前記軸部側に前記側壁を収容する収容凹所を形成するフック形状部と、このフック形状部から前記一方向に伸びる下把手部とが備え、上操作部には、前記軸部下側に前記収容凹所に収容された前記側壁を切断する切断刃と、この切断刃から前記一方向に伸びる上把手部とを備え、前記上把手部と前記下把手部を互いに近接方向に回動させて切断することを特徴としている。
【００１０】
上記特徴によれば、下操作部には前記軸部側に前記側壁を収容する収容凹所を形成するフック形状部を備えているので、側壁に該フック形状部を引っ掛けるように該収容凹所に前記側壁を収容し、前記上把手部と前記下把手部を互いに近接方向に回動させて切断することが出来る。そのため、従来のように切断刃の間に側壁をあてがう作業が必要ないため、非常に作業が容易となる。
【００１１】
次に、本願発明の切断工具は、前記側壁に前記フック形状部を引っ掛け可能であることを特徴とする。
【００１２】
上記特徴によれば、前記側壁に前記フック形状部を引っ掛けることができるので、作業者は切断工具を支える力を加えなくてもよい。そのため、前記側壁を切断する際に、作業者は切断工具を閉方向へ回動させる力のみを加え、負担が少なくて済む。また、切断工具は、引っ掛けた際に天井下地材が撓まない程に軽量である。
【００１３】
次に、本願発明の切断工具は、前記上操作部及び下操作部が、前記軸部を軸に開方向へ付勢されていることを特徴とする。
【００１４】
上記特徴によれば、前記側壁を前記収容凹所に収容する際に、作業者が切断工具を開方向へ回動させる作業を必要としないため、収容作業が容易で使い勝手がよい。
【００１５】
次に、本願発明の切断工具の前記軸部は、前記上操作部に設けられた切断刃よりも外側に設けられていることを特徴としている。
【００１６】
上記特徴によれば、軸部が上操作部に設けられた切断刃より外側に設けられているので、切断刃の開口領域をより広くとることができる。そのため、狭い空間で切断作業を行いたい場合、切断工具をあまり回動させなくとも切断刃の開口領域を広くとれるので、使い勝手がよい。
【００１７】
次に、本願発明の切断工具は、前記下操作部のフック形状部の先端側に、天井下地材の折り返しが入る凹部が設けられていることを特徴としている。
【００１８】
天井下地材の側壁の上端は、切断端面で表面が粗く危険であるので、安全性を確保するために、内側に折り返されている場合がある。また、折り返しを設けることで、天井下地材の強度も増すことができる。そして、切断作業は、側壁の内側と外側から挟み込むようにして行うため、折り返しの凸形状が切断時に邪魔になるが、折り返しが入る凹部を設けることで、収まりがよく、邪魔にならない。
【００１９】
次に、本願発明の切断工具は、前記下操作部のフック形状部の先端側に、天井下地材と当接する当接面が設けられていることを特徴としている。
【００２０】
上記特徴によれば、フック形状部の先端側の当接面と天井下地材の側壁の内側とが面で接触するので、切断時に切断刃が側壁に対して斜めになることを防止し、安定した切断作業を行うことができる。
【００２１】
次に、本願発明の切断工具は、前記下操作部のフック形状部の先端側に、切断刃が設けられていることを特徴としている。
【００２２】
上記特徴によれば、下操作部のフック形状部の先端側に設けられた切断刃と、上操作部に設けられた切断刃とで側壁の両側から切断することができ、より切断作業が容易となる。
【００２３】
次に、本願発明の切断工具は、前記上把手部を回動させる際に、前記上操作部の先端の外縁は、前記下操作部の先端の外縁よりもはみ出ないことを特徴としている。
【００２４】
上記特徴によれば、前記上把手部を回動させても、前記上操作部の先端の外縁は、前記下操作部の先端の外縁よりもはみ出ないため、狭い空間で、切断工具を回動させても上操作部の先端の外縁がはみ出して邪魔になることはない。
【発明の効果】
【００２５】
上記に記したように、本願発明の切断工具によれば、天井下地材の側壁を切断する作業が容易となる。
【図面の簡単な説明】
【００２６】
【図１】本願発明の切断工具の一例を示すもので、（ａ）は切断工具の表側、（ｂ）は切断工具を回動させた状態、（ｃ）は切断工具の裏側、（ｄ）は切断工具の側面図である。
【図２】本願発明の切断工具の他例であり、（ａ）はフック形状部の先端側に当接面を設けた切断工具を、（ｂ）はフック形状部の先端側に天井下地材の折り返しが入る凹部を設けた切断工具を示している。（ｃ）と（ｄ）は、軸部の位置が異なる場合の切断刃の開口領域の違いを示す模式図である。
【図３】本願発明の切断工具の使用形態の一例を示すもので、（ａ）は天井裏の天井下地材と工事穴を、（ｂ）は切断工具を工事穴に挿入している状態を、（ｃ）は切断工具が天井下地材に対して垂直になっている状態を、（ｄ）は側壁を切断している状態を示している。
【図４】本願発明の切断工具の他例であり、（ａ）は切断工具の表側、（ｂ）は切断工具の裏側を示している。
【図５】本願発明の切断工具の使用形態の他例を示すもので、（ａ）は天井裏の天井下地材の側壁を切断している状態を、（ｂ）は天井裏の天井下地材の底部を切断している状態を示している。
【図６】本願発明の背景技術の一例として電気工事用鋏を示すもので、（ａ）は電気工事用鋏の正面図、（ｂ）は電気工事用鋏の使用形態を示している。
【符号の説明】
【００２７】
１            軸部
２            下操作部
３            上操作部
２ａ          下把手部
３ａ          上把手部
２ｂ、３ｂ    グリップ
２ｃ、３ｃ    湾曲縁部
２ｅ、３ｅ           外縁
４            フック形状部
４ａ          収容凹所
５            切断刃
ＳＡ、ＳＢ    開口領域
Ｘ            天井下地材
Ｗ            側壁
Ｗ１          折り返し
Ｈ            工事穴
Ｕ            天井板
Ｆ                   バネ
【発明を実施するための形態】
【００２８】
（実施形態１）
以下に、本願発明の実施の形態について、図面を用いて説明する。
【００２９】
図１は、本願発明の切断工具１０の一例を示すもので、（ａ）は切断工具１０の表側、（ｂ）は切断工具１０を回動させた状態、（ｃ）は切断工具１０の裏側、（ｄ）は切断工具１０の側面図である。
【００３０】
図１の（ａ）に示すように、切断工具１０は、軸部１を基端として一方向に伸びた下操作部２と上操作部３から構成され、軸部を中心に下操作部２と上操作部３は相対的に回動可能となっている。また、切断工具１０が閉じた状態では、フック形状部４の先端に切断刃５の刃先が隠れて露出していないので、安全である。さらに、下把手部２ａと上把手部３ａは、着脱自在なバネＦ（弾発力を備えた付勢部材）により離間方向（切断刃５の開方向側）へと付勢されている。そのため、作業者が切断工具の閉じた状態を解除すれば、バネＦの付勢力により切断工具が回動して図１の（ｂ）の状態となる。なお、下操作部２及び上操作部３が、軸部１を軸に開方向へ付勢されていればよく、上記の付勢手段に限られることはない。
【００３１】
図１の（ｂ）に示すように、下操作部２は、軸部１側に天井下地材の側壁を収容することの出来る収容凹所４ａを形成するフック形状部４を備えている。このフック形状部４は側方に張出すと共に下把手部２ａ側（一方向側）へと折り返されており、さらに、該フック形状部４から一方向に伸びる下把手部２ａの下端には、作業者が握り易いようにグリップ２ｂが備えられている。
【００３２】
さらに、下把手部２ａの中腹には湾曲縁部２ｃが設けられている。これは、フック形状部４を側壁に引っ掛けるために、フック形状部４の下側に側壁を位置させるためのスペースを確保するためである。また、湾曲縁部２ｃは、その延長線上に収容凹所４ａが連続しているため、切断作業時に側壁を収容凹所４ａへ収容しやすいように誘導する。
【００３３】
一方、上操作部３には、上把手部３ａと軸部１との間の側部に、前記側壁を切断する切断刃５が軸部１側から一方向に（上把手部３ａに向けて）伸びるように上操作部３に沿って設けられている。そして、収容凹所４ａに側壁を収容した状態で、下操作部に対して上操作部を回動させることで、前記収容所４ａに収容された側壁を（その先端側から）切断することができる。また、切断刃５から前記一方向に伸びる上把手部３ａの下端には、グリップ２ｂと対になったグリップ３ｂが備えられている。
【００３４】
さらに、上把手部３ａには、湾曲縁部３ｃが設けられている。これは、湾曲縁部２ｃと同様に、フック形状部４の下側に側壁を位置させるためのスペースを確保するためである。また、湾曲縁部３ｃは、その延長線上に切断刃５が連続しているため、切断作業時に側壁を切断刃５へあてがうように誘導する。
【００３５】
下把手部２ａの湾曲縁部２ｃと、上把手部３ａの湾曲縁部３ｃとは切断作業時に上記のように作用するが、その詳細は、本願の切断工具の使用形態（図３参照）の中で説明する。
【００３６】
図１の（ｂ）のように、上把手部３ａが回動することで、収容凹所４ａに側壁を収容することができる。さらに、上把手部３ａが下把手部２ａ方向へ回動し、切断刃５が収容凹所４ａを通過する際に、収容された側壁の内側を収容凹所４ａの内側で、側壁の外側を切断刃５でそれぞれ挟み込み、切断することができる。なお、上把手部３ａの回動範囲は、突起6ａと6ｂにより制限している。
【００３７】
また、下操作部２の先端の外縁２ｅは、軸部１を中心とした円弧形状をしている。同様に、上操作部３の先端の外縁３ｅも軸部１を中心とした円弧形状をしており、上操作部３が回動することによる外縁３ｅの回動範囲は、下操作部２の外縁２ｅの円弧形状内に収まっていることが分かる。
【００３８】
そのため、切断工具を回動させても、上操作部３の先端の外縁３ｅは、下操作部２の先端の外縁２ｅよりもはみ出ないので、周りに配線等が密集していても引っかからず、狭い場所での取り回しがしやすい。なお、それぞれの操作部の先端の外縁は、円弧形状としているが、上操作部３の先端の外縁３ｅが下操作部２の先端の外縁２ｅよりもはみ出ない形状であれば、任意に決めることができる。
【００３９】
図１の（ｃ）は、切断工具１０の裏側を示している。下操作部２のフック形状部４の先端には切断刃７が設けられているので、収容凹部４ａに収容された側壁Ｗの両側から側壁を切断することが出来る。
【００４０】
また、下把手部２ａの湾曲縁部２ｃと上把手部３ａの湾曲縁部３ｃとが交差し、当該交差箇所の周辺は幅が狭くなっているため、天井下地材をフック形状部４の下側に位置させるスペースを確保できていることがわかる。軸部１は螺子止め式で固定されるものであり、下操作部２と上操作部３を分離するのが容易である。
【００４１】
図１の（ｄ）は、切断工具１０の側面図である。下操作部２と上操作部３（工事穴に挿入する箇所、より詳しくは、上把手部３ａ及び下把手部２ａを除いた箇所）は、薄い平板状に形成されているので、工事穴が小さくても切断工具１０を挿入し易く、取り回しも容易である。また、グリップ部２ｂ、３ｂは、人が握り易い大きさになっている。
【００４２】
図２は、本願発明の他例を示すものであり、図２の（ａ）はフック形状部１４Ａの先端側に当接面18Ａを設けた切断工具２０Ａを、図２の（ｂ）はフック形状部１４Ｂの先端側に天井下地材Ｘの折り返しＷ１が入る凹部１９を設けた切断工具２０Ｂを示している。図２の（ｃ）と（ｄ）は、軸部２１Ａと２１Ｂの位置が異なる場合の開口領域の大きさの違いを示している。
【００４３】
図２の（a）では、フック形状部１４Aの先端側に、天井下地材Ｘの側壁Ｗ（詳しくは、側壁の内面）と面で接する当接面１８Aが設けられている。このように、側壁Ｗと面で接触するので、切断時に切断刃１５Ａが斜めになることを防止することができる。
【００４４】
図２の（ｂ）では、フック形状部１４Ｂの先端側に、天井下地材Ｘの側壁Ｗ（詳しくは、側壁の内面）と面で接する当接面１８Ｂが設けられ、さらに側壁Ｗの先端に形成された折り返しＷ１が入る凹部１９が設けられている。
【００４５】
切断作業は、側壁Ｗの内側を当接面１８Ｂで、側壁Ｗの外側を切断刃１５Ｂでそれぞれ挟み込むようにして行うため、折り返しＷ１が邪魔になるが、折り返しＷ１が入る凹部１９を設けることで、収まりがよく邪魔にならない。また、当接面１８Ｂと凹部１９とから成る収容凹所１４Ｂａの内面は、側壁Ｗの内側の形状と略合同であるので、挟み込んだ時に切断工具２０Ｂの先端がぶれにくく安定した切断作業が可能となる。なお、凹部１９の大きさは、折り返しＷ１の大きさに合わせて任意に設定すればよい。
【００４６】
図２の（ｃ）と（ｄ）は、軸部（操作部の回動軸心）の位置が異なる場合の開口領域の違いを示す模式図である。図２の（ｃ）において、切断工具３０Ａの上操作部２３Ａ（１）は、切断工具を閉じた状態を示しており、線分ＬＡは、その状態での切断刃２５Ａ（１）の先端位置を示している。また、軸部（操作部の回動軸心）２１Ａは、切断刃２５Ａ（１）よりも内側（切断刃端よりもフック形状部側（収容凹所側））、つまり図面上では左側に位置している。
【００４７】
そして、上操作部２３Ａ（１）を軸部２１Ａ中心に角度αだけ回動させた状態が、上操作部２３Ａ（２）である。斜線で示した開口領域ＳＡは、線分ＬＡと上操作部２３Ａ（２）の切断刃２５Ａ（２）とで囲まれる領域である。
【００４８】
次に、図２の（ｄ）では、図２の（ｃ）と比較して軸部の位置が異なる場合に切断刃の開口領域の違いを示す。図２の（ｄ）において、切断工具３０Ｂの上操作部２３Ｂ（１）は、切断工具を閉じた状態での位置を、線分ＬＢは、その状態での刃先２５Ｂ（１）の先端位置を示している。軸部（操作部の回動軸心）２１Ｂは、前記軸部２１Ａに対して線分ＬＡで線対称の位置に設けられており、切断刃２５Ｂ（１）よりも外側（切断刃端よりも反フック形状部側（反収容凹所側））、つまり図面上では右側に位置する。
【００４９】
そして、軸部２１Ｂを中心に角度αだけ回動させた上操作部２３Ｂ（２）の切断刃２５Ｂ（２）と、線分ＬＢとで囲まれた開口領域ＳＢを斜線で示しているが、この開口領域ＳＢは、図２の（ｃ）の開口領域ＳＡと比較して広いことが分かる。
【００５０】
これは、軸部２１Ｂを切断刃より外側に位置させることで、同じ角度だけ上操作部を回動させてもより広い開口領域を得ることができ、換言すれば、必要な開口領域を得るために、上操作部の回動はより少なくて済むことを意味している。そのため、作業スペースや工事穴が小さく、切断工具を回動することが制限される環境において、特に有用である。
【００５１】
図３の（ａ）から（ｄ）は、本願の切断工具４０を用いて、実際に天井下地材Ｘの側壁Ｗを切断する作業の使用形態の一例を示すものである。該天井下地材Ｘは、底壁Ｗ２と該底壁Ｗ２の両端から立ち上がる両側壁Ｗとからなる断面コ字状が連続する長尺の形状となっている。また、天井板Ｕには照明器具を取り付けるために工事穴Ｈが空けられている。
【００５２】
本願の切断工具４０はフック形状部３４を有しているので、工事穴Ｈから切断工具４０を挿入し、底壁側から側壁Ｗに引っ掛けるようにして切断作業をできる。このように、底壁側からの操作により切断可能な本願の切断工具４０によれば、特許文献１の電気工事鋏５０のように切断刃を側壁Ｗにあてがうという煩わしい作業を行わなくてもよい。
【００５３】
工事穴Ｈの大きさによって切断作業のし易さが変わってくるが、図３では、工事穴Ｈが比較的小さい場合を想定する。そして該工事穴Ｈは、切断工具４０が天井下地材Ｘに対して垂直の状態で、工事穴Ｈの下方から挿入しようとすると切断工具４０の先端が閊えて挿入することができない程、小さいとする。このような場合、天井板Ｕの下側にいる作業者からは、天井板Ｕ上方の様子を視認することができないため、側壁Ｗにフック形状部３４を引っ掛けることが困難となる。以下では、工事穴Ｈが小さく天井板Ｕの上方の様子を視認できなくても、確実に切断作業を行うことができる切断工具４０の使用形態の一例を各ステップに分けて説明する。
【００５４】
（ステップ１）上述したように、工事穴Ｈは、切断工具４０を天井下地材Ｘに対して垂直になるように、工事穴Ｈの下方から挿入できない大きさである。そこで、切断工具４０の先端側は薄い平板状に形成されていることを利用して、天井下地材Ｘに対して切断工具４０が平行になるように、切断工具４０を工事穴Ｈへ挿入する（図３の（ｂ）参照）。そして、おおよそ切断工具４０の中腹部まで挿入すれば、下把手部３２ａの湾曲縁部３２ｃと上把手部３３ａの湾曲縁部３３ｃの交差箇所周辺に、側壁Ｗが位置する。
【００５５】
（ステップ２）当該交差箇所周辺の下把手部３２ａと上把手部３３ａの幅は狭くなっているので、切断工具４０が天井下地材Ｘに対して垂直になるように、切断工具４０を約９０度回転させることができる。その結果、図３（ｃ）に示すように、天井下地材Ｘの側壁Ｗは、湾曲縁部３２ｃと湾曲縁部３３ｃの間に収まり、フック形状部３４の下側に位置する。
【００５６】
（ステップ３）次に、図３の（ｃ）では、側壁Ｗに湾曲縁部３２ｃと湾曲縁部３３ｃを押し当てるように、天井板Ｕの下に位置するグリップ３２ｂと３３ｂに作業者は力を加える。そして、押し当てながら上把手部３３ａを徐々に回動させ、さらに切断工具４０を下方向に降下させる。その際、側壁Ｗの下端は、湾曲縁部３２ｃに沿って移動し、該湾曲縁部３２ｃの延長線上に連続している収容凹所３４ａへと誘導される。  
一方、側壁Ｗの上端は湾曲縁部３３ｃに沿って移動し、切断刃３５にあてがわれるように誘導される。その結果、図３の（ｄ）では、フック形状部は側方に張り出すとともに下把手部３２ａ（一方向側）へと折り返されているので、その先端が両側壁Ｗの間に挿入され、側壁Ｗは、軸部３１と下把手部３２ａの間において、収容凹所３４ａに収容されているのが分かる。
【００５７】
（ステップ４）さらに、上把手部３３ａを下把手部３２ａの方向に回動させることにより、切断刃３５が収容凹所３４ａを通過して、側壁Ｗを切断することができる。
【００５８】
上記のように、ステップ１では、単に切断工具４０の中腹部まで切断工具４０を工事穴Ｈに挿入すればよく、さらに、ステップ２では、切断工具４０を９０度回転させるだけであり、他に操作を必要とすることもなければ、天井板Ｕ上方を視認する必要もない。ステップ3では、天井下地材Ｘに切断工具４０を押し付け、上把手部３３ａを回動させながら下降させればよいのみであり、天井板Ｕ上方のフック形状部３４と側壁Ｗとの位置関係を視認する必要がなく、直感的でかつ機械的な操作で、容易に側壁Ｗにフック形状部３４を引っ掛けることができる。そして、ステップ４では、側壁Ｗにフック形状部３４が引っ掛けられているので、単純に上把手部３３ａを下把手部３２ａの方向に回動させるだけで、側壁Ｗを切断することができる。
【００５９】
上記の切断工具４０の使用形態によれば、工事穴Ｈが小さく天井板Ｕ上方の様子を視認できないため側壁Ｗにフック形状部３４を引っ掛けることが難しい場合であっても、容易に切断作業をすることが出来る。また、一度、側壁Wを切断した後に、天井下地材Xの長手方向に、切断工具４０をスライドさせて、先に切断した箇所と異なる側壁Wを切断する。そうすると、両端を切断された側壁部分ができるので、当該部分にフック形状部３４を引っ掛けたままで、切断工具４０を天井板U下方に引っ張れば、当該部分を折り曲げることができ、切り込み口を開けることができる。そして、切り込み口をきっかけにして金切り鋏等の工具で、天井下地材Xの底部W２及び側壁Wを切断して除去することができる。
【００６０】
また、湾曲縁部３３ｃと略平行となるように湾曲縁部３３ｄが設けられているので（図３の（ｃ）参照）、上把手部３３ａを徐々に回動させ、切断工具４０を降下させても、上把手部３３ａが工事穴Ｈの内側に接触して回動範囲が狭くならないようになっている。
【００６１】
（実施形態２）
図４は、本願発明の切断工具の他例を示すものであり、図４の（ａ）は切断工具５０の表側、図４の（ｂ）は切断工具５０の裏側を示している。図４の（ａ）に示すように、上操作部４３の先端が軸部４１を基端として反刃４５ａ側に屈曲した形状となっており、軸部４１は切断刃４５よりも外側（切断刃端よりも反フック形状部側）に位置していることが分かる。このことは、図１の（ａ）の切断工具１０の上操作部３の先端の形状と対称的である。さらに上把手部４３ａと軸部４１との間の側部に、側壁を切断する切断刃４５が軸部４１側から外方(フック形状部４４の先端)に向けて傾斜して設けられている。
【００６２】
そのため、切断時にはフック形状部４４の収容凹所に収容された天井下地材の側壁の先端側から順に、側壁を擦るように切断刃が動くので、図１の（ａ）の切断工具１０と比較して、より小さな力でも切断作業が可能となる。また、軸部４１を切断刃４５より外側に位置させているので、開口領域も広くとることができる（段落[００４１]から[００４５]参照）。
【００６３】
図４の（ｂ）に示すように、下把手部４２は軸部４１から直線状に伸びるように形成されている。また、上把手部４３は、軸部４１よりも外方（反フック形状部側）に大きく湾曲するよう形成されている。そのため、両把手部（４２、４３）は、軸部４１より外方（反フック形状部側）に位置していることが分かる。また、フック形状部４４の先端側の収容凹所４４ａ内面は、切断刃４５と略平行になるように、下把手部４２に対して傾斜している。
【００６４】
図５の（ａ）は、本願発明の切断工具５０の使用形態の他例を示すもので、天井板Ｕの上方の天井下地材Ｘの側壁Ｗを切断している状態を示している。フック形状部４４の収容凹所４４aに天井下地材Xの側壁Wが収容されており、上把手部４３と下把手部４２を互いに近接方向に回動させて、側壁Wの先端側から、側壁Wを擦るように切断していく。フック形状部４４の先端側の収容凹所４４ａには、凹部４９が設けられており、側壁Ｗの先端に形成された折り返しＷ１が収まっていることが分かる。
【００６５】
そして、側壁Ｗを切断したら図５の（ｂ）に示すように、収容凹所４４ａに天井下地材Ｘの底部Ｗ２を収容するように、そのまま切断工具５０の向きを変える。両把手部（４２、４３）は、軸部４１よりも外方（反フック形状部側）に位置しているため、両把手部（４２、４３）が天井板Ｕや天井下地材Ｘの底部Ｗ２に干渉することがなく、天井板Ｕに沿った方向の天井下地材Ｘの底部Ｗ２を容易に切断することが可能となる。また、フック形状部４４の先端側の収容凹所４４ａ内面は下把手部４２に対して傾斜しているので、天井下地材Ｘの底部Ｗ２にフック形状部４４を引っ掛けても、グリップ部４２ｂと天井板Ｕとの間に隙間Ｙができる。そのため、作業者がグリップ部４２ｂを握るスペースを確保でき、切断作業が容易となる。
【００６６】
実施例の形態では、湾曲縁部３ｃにより、両把手部を近接させた状態で両把手部間にスペースを確保し切断操作時に手指のはさみこみが防止することも可能である。
【００６７】
本願発明の切断工具によれば、天井面下方側（室内側）からの操作で、側壁Ｗに切り込みを入れられ、さらに、その切り込みをきっかけにして金切り鋏等の工具で、側壁及び底部を切断して除去することが可能となり、長尺の天井下地材の長手方向の一部（中間部）であっても、一度設置された天井材を取り外すことなく、ダウンライトなどの照明器具を設置するための小さな穴から、設置に障害となる天井下地材を切除することが可能となる。
【００６８】
なお、本願発明の切断工具は、上記の実施例に限定されず、特許請求の範囲に記載された範囲、実施形態の範囲で、種々の変形例、組み合わせが可能であり、これらの変形例、組み合わせもその権利範囲に含むものである。
【産業上の利用可能性】
【００６９】
本願発明の切断工具は、ダウンライトなどの照明器具を取り付けるために、天井下地材の側壁を切断することが要請される産業分野に利用することができる。
【図１】
0005469488.tif 000002
【図２】
0005469488.tif 000003
【図３】
0005469488.tif 000004
【図４】
0005469488.tif 000005
【図５】
0005469488.tif 000006
【図６】
0005469488.tif 000007